(57)【要約】  【課題】  さまざまな映像の撮影を容易にすること。  【解決手段】  カメラ５から高速無線通信回線８を介して公開される動画像を表示する携帯端末３から高速無線通信回線８を介して撮影信号を収集する撮影信号収集部２４と、撮影信号に応答して映像をカメラ５から収集する映像収集部２５と、公衆回線網１４に接続されるユーザ端末７に映像を公開する映像配信部２７とを備えている。本発明による映像撮影装置１によれば、ユーザは、携帯端末３に表示される動画像を見ながら、携帯端末３を操作して好きなシャッターチャンスでそのカメラ５から見た映像を撮影することができ、自分一人で撮影することができないようなさまざまな映像を容易に撮影することができる。  【選択図】図１
2007067456.tif 000002
【特許請求の範囲】
【請求項１】
カメラから高速無線通信回線を介して公開される動画像を表示する携帯情報端末から前記高速無線通信回線を介して撮影信号を収集する撮影信号収集部と、
前記撮影信号に応答して映像を前記カメラから収集する映像収集部と、
公衆回線網に接続されるユーザ端末に前記映像を公開する映像配信部
とを具備する映像撮影装置。
【請求項２】
請求項１において、
複数利用者情報に対応付けて複数映像を記録する映像データベースを更に具備し、
前記撮影信号収集部は、前記携帯情報端末を識別する利用者情報を前記撮影信号とともに収集したときに、前記利用者情報に対応付けて前記映像を前記映像データベースに記録し、
前記映像配信部は、前記ユーザ端末が要求利用者情報を用いて前記映像を要求するときに、前記映像データベースを参照して前記要求利用者情報に対応する要求映像を前記ユーザ端末に配信する
映像撮影装置。
【請求項３】
請求項１において、
複数利用者情報に対応付けて複数映像を記録する映像データベースを更に具備し、
前記撮影信号収集部は、前記携帯情報端末を識別する利用者情報を前記撮影信号とともに収集したときに、前記利用者情報に対応付けて前記映像を前記映像データベースに記録し、
前記映像配信部は、写真プリンタが前記利用者情報を用いて前記映像を要求するときに、前記映像データベースを参照して前記要求利用者情報に対応する要求映像を前記写真プリンタに配信し、
前記写真プリンタは、前記要求映像をプリントアウトする
映像撮影装置。
【請求項４】
請求項１〜請求項３のいずれかにおいて、
複数端末識別情報を記憶する認証データベースと、
前記携帯情報端末が前記無線通信回線を介して端末識別情報を前記カメラに送信して前記カメラに前記動画像を要求するときに、前記認証データベースを参照して前記端末識別情報を前記複数端末識別情報から検索した検索結果を前記無線基地局に送信する認証部とを更に具備し、
前記無線通信回線は、前記利用者情報が前記複数利用者情報に属さないときに、前記動画像を前記携帯情報端末に配信しない
映像撮影装置。
【請求項５】
請求項１〜請求項４のいずれかにおいて、
複数時刻と複数カメラとを対応付ける監視データベースを更に具備し、
前記映像収集部は、更に、前記監視データベースを参照して、前記複数時刻のうちの１つの撮影時刻になったときに、前記複数カメラのうちの前記撮影時刻に対応する撮影カメラから撮影映像を収集し、
前記映像データベースは、更に、前記撮影時刻と前記撮影カメラとの組に対応付けて前記撮影映像を記録する
映像撮影装置。
【請求項６】
請求項５において、
前記ユーザ端末から検索条件を収集する検索条件収集部を具備し、
前記映像配信部は、前記映像データベースを参照して、前記検索条件を満たす組に対応する映像を前記ユーザ端末に配信する
映像撮影装置。
【請求項７】
請求項１〜請求項６のいずれかにおいて、
前記高速無線通信回線は、前記動画像を前記携帯情報端末に表示することに十分な通信速度で前記動画像を前記カメラから前記携帯情報端末に伝送する
映像撮影装置。
【請求項８】
請求項７において、
前記高速無線通信回線は、高速無線ＬＡＮシステムである
映像撮影装置。
【請求項９】
カメラから高速無線通信回線を介して公開される動画像を表示する携帯情報端末から前記高速無線通信回線を介して撮影信号を収集するステップと、
前記撮影信号に応答して映像を前記カメラから収集するステップと、
公衆回線網に接続されるユーザ端末に前記映像を公開するステップ
とを具備する映像撮影方法。
【請求項１０】
請求項９において、
前記携帯情報端末を識別する利用者情報を前記撮影信号とともに収集したときに、複数利用者情報に対応付けて複数映像を記録する映像データベースに前記利用者情報に対応付けて前記映像を記録するステップと、
前記ユーザ端末が要求利用者情報を用いて前記映像を要求するときに、前記映像データベースを参照して前記要求利用者情報に対応する要求映像を前記ユーザ端末に配信するステップ
とを更に具備する映像撮影方法。
【請求項１１】
請求項９において、
前記携帯情報端末を識別する利用者情報を前記撮影信号とともに収集したときに、複数利用者情報に対応付けて複数映像を記録する映像データベースに前記映像を前記利用者情報に対応付けて記録するステップと、
写真プリンタが前記利用者情報を用いて前記映像を要求するときに、前記映像データベースを参照して前記要求利用者情報に対応する要求映像を前記写真プリンタに配信するステップを更に具備し、
前記写真プリンタは、前記要求映像をプリントアウトする
映像撮影方法。
【請求項１２】
請求項９〜請求項１１のいずれかにおいて、
前記携帯情報端末が前記無線通信回線を介して端末識別情報を前記カメラに送信して前記カメラに前記動画像を要求するときに、複数端末識別情報を記憶する認証データベースを参照して前記端末識別情報を前記複数端末識別情報から検索した検索結果を前記無線基地局に送信するステップを更に具備し、
前記無線通信回線は、前記利用者情報が前記複数利用者情報に属さないときに、前記動画像を前記携帯情報端末に配信しない
映像撮影方法。
【請求項１３】
請求項９〜請求項１２のいずれかにおいて、
複数時刻と複数カメラとを対応付ける監視データベースを参照して、前記複数時刻のうちの１つの撮影時刻になったときに、前記複数カメラのうちの前記撮影時刻に対応する撮影カメラから撮影映像を収集するステップを更に具備し、
前記映像データベースは、更に、前記撮影時刻と前記撮影カメラとの組に対応付けて前記撮影映像を記録する
映像撮影方法。
【請求項１４】
請求項１３において、
前記ユーザ端末から検索条件を収集するステップと、
前記映像データベースを参照して、前記検索条件を満たす組に対応する映像を前記ユーザ端末に配信するステップ
とを具備する映像撮影方法。
【請求項１５】
請求項９〜請求項１４のいずれかにおいて、
前記高速無線通信回線は、前記動画像を前記携帯情報端末に表示することに十分な通信速度で前記動画像を前記カメラから前記携帯情報端末に伝送する
映像撮影方法。
【請求項１６】
請求項１５において、
前記高速無線通信回線は、高速無線ＬＡＮシステムである
映像撮影方法。
【請求項１７】
カメラから高速無線通信回線を介して公開される動画像を表示する携帯情報端末から前記高速無線通信回線を介して撮影信号を収集するステップと、
前記撮影信号に応答して映像を前記カメラから収集するステップと、
公衆回線網に接続されるユーザ端末に前記映像を公開するステップ
とを具備する映像撮影プログラム。
【請求項１８】
請求項１７において、
前記携帯情報端末を識別する利用者情報を前記撮影信号とともに収集したときに、複数利用者情報に対応付けて複数映像を記録する映像データベースに前記利用者情報に対応付けて前記映像を記録するステップと、
前記ユーザ端末が要求利用者情報を用いて前記映像を要求するときに、前記映像データベースを参照して前記要求利用者情報に対応する要求映像を前記ユーザ端末に配信するステップ
とを更に具備する映像撮影プログラム。
【請求項１９】
請求項１７において、
前記携帯情報端末を識別する利用者情報を前記撮影信号とともに収集したときに、複数利用者情報に対応付けて複数映像を記録する映像データベースに前記映像を前記利用者情報に対応付けて記録するステップと、
写真プリンタが前記利用者情報を用いて前記映像を要求するときに、前記映像データベースを参照して前記要求利用者情報に対応する要求映像を前記写真プリンタに配信するステップを更に具備し、
前記写真プリンタは、前記要求映像をプリントアウトする
映像撮影プログラム。
【請求項２０】
請求項１７〜請求項１９のいずれかにおいて、
前記携帯情報端末が前記無線通信回線を介して端末識別情報を前記カメラに送信して前記カメラに前記動画像を要求するときに、複数端末識別情報を記憶する認証データベースを参照して前記端末識別情報を前記複数端末識別情報から検索した検索結果を前記無線基地局に送信するステップを更に具備し、
前記無線通信回線は、前記利用者情報が前記複数利用者情報に属さないときに、前記動画像を前記携帯情報端末に配信しない
映像撮影プログラム。
【請求項２１】
請求項１７〜請求項２０のいずれかにおいて、
複数時刻と複数カメラとを対応付ける監視データベースを参照して、前記複数時刻のうちの１つの撮影時刻になったときに、前記複数カメラのうちの前記撮影時刻に対応する撮影カメラから撮影映像を収集するステップを更に具備し、
前記映像データベースは、更に、前記撮影時刻と前記撮影カメラとの組に対応付けて前記撮影映像を記録する
映像撮影プログラム。
【請求項２２】
請求項２１において、
前記ユーザ端末から検索条件を収集するステップと、
前記映像データベースを参照して、前記検索条件を満たす組に対応する映像を前記ユーザ端末に配信するステップ
とを具備する映像撮影プログラム。
【請求項２３】
請求項１７〜請求項２２のいずれかにおいて、
前記高速無線通信回線は、前記動画像を前記携帯情報端末に表示することに十分な通信速度で前記動画像を前記カメラから前記携帯情報端末に伝送する
映像撮影プログラム。
【請求項２４】
請求項２３において、
前記高速無線通信回線は、高速無線ＬＡＮシステムである
映像撮影プログラム。
【発明の詳細な説明】
【技術分野】
【０００１】
本発明は、映像撮影装置及び映像撮影方法に関し、特に、遠隔操作により映像を撮影する映像撮影装置及び映像撮影方法に関する。
【背景技術】
【０００２】
テーマパークで写真を撮影することが広く行われている。たとえば、ライドアトラクションの乗物の進路に設置されたカメラにより撮影された写真が販売されている。このような写真は、利用者が撮影場所を予め分かっていないために、うまく撮影されていないことがある。また、テーマパークのライドアトラクション内での利用者による撮影は、安全上の観点からも禁止されている場合が多く、たとえ撮影できたとしても利用者自身を撮影することが困難である。利用者から離れて設置されたカメラを用いて、さまざまな映像の撮影を容易にする映像撮影方法画望まれている。
【０００３】
特開２００１−１７７７５０号公報には、送受信機能を応用して、テーマパークのような広い敷地内に多数設置する場合にも有効に機能し得る画像撮影、処理、提供システム、ならびにアルバムの作製や写真の注文のための写真の選択を簡便かつ確実に行う撮影カメラ、編集装置、個人別注文用紙および注文方法が開示されている。そのシステムは、少なくとも撮影時に被写体の撮影情報を送信する第２の通信手段と、撮影手段と、撮影手段と連携して作動し、第２の通信手段から送信される撮影情報を受信する第１の通信手段と、第１の通信手段が受信した撮影情報と撮影された被写体の画像データとを関連付けて記憶する記憶手段とを有する。
【０００４】
特開２００２−４１７０３号公報には、テーマパークなどで入場者に写真サービスができるようにする娯楽施設のサービスシステムが開示されている。デジタルカメラが記念写真を撮る場所や各アトラクション会場などに配置されており、また、入場者は、夫々毎にタグ番号が異なる電子タグを借り受けている。写真撮影を希望する入場者はそのタグ番号を登録し、制御用ＰＣは、デジタルカメラの撮影場所に登録した電子タグを持つ入場者が来ると、デジタルカメラでその入場者を撮影させる。この撮影によって得られた写真映像はタグ番号毎に大容量ストレージにファイルされ、入場者がこのテーマパークから出るときに、この電子タグのタグ番号で大容量ストレージをアクセスし、この入場者の写真を提供することができる。また、入場者の希望により、そのＰＣにダウンロードするなどして写真を提供することができる。
【０００５】
特開２００２−２７９１０８号公報には、テーマパーク等の大規模遊戯施設で、待ち行列があることを前提に、入場者が効率的かつ快適に施設を利用できる場内ガイドシステム、場内ガイドサーバ、場内ガイドサーバの制御方法が開示されている。携帯端末は、照会情報を入力するための入力部と、文字及び静止画を表示するための表示部とを備え、無線中継装置は、電波を送受信する中継部をそなえ、場外ガイドサーバは、少なくともアトラクション情報と、地図情報を記憶する地図情報と、照会情報に合致する検索結果情報を抽出する検索部と、無線通信回線を介して携帯端末に検索結果情報を表示させるための表示情報を生成する表示情報生成部とを備えている。
【０００６】
特開２００２−２７９２９４号公報には、テーマパーク等で、待ち行列の存在を前提に、入場者が待ち時間を有効活用して効率的かつ快適に施設の各種サービスを利用できる場内ガイドシステム、場内ガイドサーバ、場内ガイドサーバの制御方法が開示されている。携帯端末は識別情報記憶部と、照会情報及び購入情報を入力する入力部と、文字及び静止画を表示するための表示部とを備え、無線中継装置は、電波を送受信する中継部を備え、場内ガイドサーバは、地図情報を記憶する地図情報記憶部と、個人情報を記憶する顧客情報記憶部と、携帯端末から送られる照会情報に基づいて、検索を行う検索部と、携帯端末に検索結果を表示させるための表示情報を生成する表示情報生成部とを備えている。
【０００７】
特開２００３−５８９２２号公報には、不特定多数の人を受け入れる例えば、遊園地、教育的施設（美術館、博物館）等を総称するテーマパーク施設に対する、入場、予約管理及び／又は情報配信を実行するシステムが開示されている。そのシステムでは、音声と画像の配信が可能なＰＤＡとテーマパーク施設内の全体に十分な電波が行き渡る、地域的通信ネットワークを構築し、入場者に貸与するＰＤＡによって入場者相互間、入場者と施設及びその中の各イベント会場との間での、双方向通信を可能とするネットワーク回線網を施設内に敷設する。更にネットワーク全体を管理し、入場者のＰＤＡと各施設の情報を蓄積管理し、テーマパーク施設全体の情報を収集して管理する各種サーバーを含む管理センターを配備する。
【０００８】
特開２００３−１４３３５０号公報には、テーマパークなどに遊びに行く際、従来、写真撮影を行う入場者（カメラマン）は被写体となることができないという課題を解決する撮影画像送信システムおよび撮影画像送信方法が開示されている。その撮影画像送信方法では、テーマパーク内にて、お客（ユーザ）は、個人を特定する識別番号が記載されたリストバンドを装着する。このリストバンドの信号に反応して、テーマパーク内に設置されたカメラのシャッターが切られ、サーバの識別番号データベースおよび撮影画像データベースに、それぞれ識別番号と撮影画像が保存される。ユーザは、自宅のパソコンより、識別番号を入力することにより、サーバから自分が撮影された撮影画像が読み出される。ユーザは、希望する撮影画像を選択し、所定の料金を支払った上で、撮影画像をダウンロードする。
【０００９】
特開平７−１９３６４６号公報には、静止映像或はビデオコレクション生成システムにおいて、一意の識別札にて個人を識別し、個人の映像を彼等が自動的に記録し、通信網を通じて映像を収集し、これらを一つのコレクションに配置し、集めた映像のセット、を訪問客に提供する個人的映像記録システムが開示されている。その個人的映像記録システムでは、複数のカメラが遊園地を通じていたるところに設置される。各訪問客と一意の識別子が対応付けられる。この識別子は、識別札、例えば、遠くから読み取ることが可能なカード、バッジ或はペンダント内に含まれる。識別札読取り機が訪問客を彼等が特定の位置にいるときに識別し、制御システムに識別及び位置情報を提供する。通信網がカメラ、識別札読取り機、制御システム及び映像記録デバイスを相互に接続するために使用される。制御システムはその訪問客と関連する一つ或は複数の適当な映像の記録及び格納を制御する。
【００１０】
【特許文献１】特開２００１−１７７７５０号公報
【特許文献２】特開２００２−４１７０３号公報
【特許文献３】特開２００２−２７９１０８号公報
【特許文献４】特開２００２−２７９２９４号公報
【特許文献５】特開２００３−５８９２２号公報
【特許文献６】特開２００３−１４３３５０号公報
【特許文献７】特開平７−１９３６４６号公報
【発明の開示】
【発明が解決しようとする課題】
【００１１】
本発明の課題は、さまざまな映像の撮影を容易にする映像撮影装置及び映像撮影方法を提供することにある。
本発明の他の課題は、分散されて設置されたカメラにより撮影された映像の入手を容易にする映像撮影装置及び映像撮影方法を提供することにある。
【課題を解決するための手段】
【００１２】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１３】
本発明による映像撮影装置（１）は、カメラ（５）から高速無線通信回線（８）を介して公開される動画像を表示する携帯情報端末（３）から高速無線通信回線（８）を介して撮影信号を収集する撮影信号収集部（２４）と、撮影信号に応答して映像をカメラ（５）から収集する映像収集部（２５）と、公衆回線網（１４）に接続されるユーザ端末（７）に映像を公開する映像配信部（２７）とを備えている。本発明による映像撮影装置（１）によれば、ユーザは、携帯情報端末（３）に表示される動画像を見ながら、携帯情報端末（３）を操作して好きなシャッターチャンスでそのカメラ（５）から見た映像を撮影することができ、自分一人で撮影することができないようなさまざまな映像を容易に撮影することができる。
【００１４】
本発明による映像撮影装置（１）は、複数利用者情報に対応付けて複数映像を記録する映像データベース（４１）を更に備えている。撮影信号収集部（２４）は、携帯情報端末（３）を識別する利用者情報を撮影信号とともに収集したときに、利用者情報に対応付けて映像を映像データベース（４１）に記録する。映像配信部（２７）は、ユーザ端末（７）が要求利用者情報を用いて映像を要求するときに、映像データベース（４１）を参照して要求利用者情報に対応する要求映像をユーザ端末（７）に配信する。本発明による映像撮影装置（１）によれば、ユーザは、そのユーザ端末（７）を用いて、携帯情報端末（３）を操作して撮影された映像を容易に検索して入手することができる。
【００１５】
本発明による映像撮影装置（１）は、複数利用者情報に対応付けて複数映像を記録する映像データベース（４１）を更に備えている。撮影信号収集部（２４）は、携帯情報端末（３）を識別する利用者情報を撮影信号とともに収集したときに、利用者情報に対応付けて映像を映像データベース（４１）に記録する。映像配信部（２７）は、写真プリンタ（６）が利用者情報を用いて映像を要求するときに、映像データベース（４１）を参照して要求利用者情報に対応する要求映像を写真プリンタ（６）に配信する。写真プリンタ（６）は、要求映像をプリントアウトする。本発明による映像撮影装置（１）によれば、ユーザは、その写真プリンタ（６）を用いて、携帯情報端末（３）を操作して撮影された映像が記載された写真を容易に入手することができる。
【００１６】
本発明による映像撮影装置（１）は、複数端末識別情報を記憶する認証データベース（２１）と、携帯情報端末（３）が無線通信回線（８）を介して端末識別情報をカメラ（５）に送信してカメラ（５）に動画像を要求するときに、認証データベース（２１）を参照して端末識別情報を複数端末識別情報から検索した検索結果を無線基地局に送信する認証部（２３）とを更に備えている。無線通信回線（８）は、利用者情報が複数利用者情報に属さないときに、動画像を携帯情報端末（３）に配信しない。本発明による映像撮影装置（１）によれば、認証された携帯情報端末（３）のみが動画像を表示することでき、好ましい。
【００１７】
本発明による映像撮影装置（１）は、複数時刻と複数カメラ（５）とを対応付ける監視データベース（２２）を更に備えている。映像収集部（２５）は、更に、監視データベース（２２）を参照して、複数時刻のうちの１つの撮影時刻になったときに、複数カメラ（５）のうちの撮影時刻に対応する撮影カメラ（５）から撮影映像を収集する。映像データベース（４１）は、更に、撮影時刻と撮影カメラ（５）との組に対応付けて撮影映像を記録する。本発明による映像撮影装置（１）は、携帯情報端末（３）が操作されないときにでも、ユーザが撮影することができないようなさまざまな映像を容易に撮影する。
【００１８】
本発明による映像撮影装置（１）は、ユーザ端末（７）から検索条件を収集する検索条件収集部（２６）を備えている。映像配信部（２７）は、映像データベース（４１）を参照して、検索条件を満たす組に対応する映像をユーザ端末（７）に配信する。本発明による映像撮影装置（１）によれば、ユーザは、携帯情報端末（３）を操作しないときに撮影されたさまざまな映像を容易に入手することができる。
【００１９】
高速無線通信回線（８）は、動画像を携帯情報端末（３）に表示することに十分な通信速度で動画像をカメラ（５）から携帯情報端末（３）に伝送することが好ましい。その高速無線通信回線（８）は、高速無線ＬＡＮシステムであることが好ましい。高速無線ＬＡＮシステムとしては、ＩＥＥＥ８０２．１１ａ、ＩＥＥＥ８０２．１１ｂまたはＩＥＥＥ８０２．１１ｇに準拠する高速無線アクセスを用いるシステムが例示される。
【００２０】
本発明による映像撮影方法は、カメラ（５）から高速無線通信回線（８）を介して公開される動画像を表示する携帯情報端末（３）から高速無線通信回線（８）を介して撮影信号を収集するステップ（Ｓ１２）と、撮影信号に応答して映像をカメラ（５）から収集するステップ（Ｓ１３）と、公衆回線網（１４）に接続されるユーザ端末（７）に映像を公開するステップ（Ｓ４４）とを備えている。本発明による映像撮影方法によれば、ユーザは、携帯情報端末（３）に表示される動画像を見ながら、携帯情報端末（３）を操作して好きなシャッターチャンスでそのカメラ（５）から見た映像を撮影することができ、自分一人で撮影することができないようなさまざまな映像を容易に撮影することができる。
【００２１】
本発明による映像撮影方法は、携帯情報端末（３）を識別する利用者情報を撮影信号とともに収集したときに、複数利用者情報に対応付けて複数映像を記録する映像データベース（４１）に利用者情報に対応付けて映像を記録するステップ（Ｓ１４）と、ユーザ端末（７）が要求利用者情報を用いて映像を要求するときに、映像データベース（４１）を参照して要求利用者情報に対応する要求映像をユーザ端末（７）に配信するステップ（Ｓ４４）とを更に備えている。本発明による映像撮影方法によれば、ユーザは、そのユーザ端末（７）を用いて、携帯情報端末（３）を操作して撮影された映像を容易に検索して入手することができる。
【００２２】
本発明による映像撮影方法は、携帯情報端末（３）を識別する利用者情報を撮影信号とともに収集したときに、複数利用者情報に対応付けて複数映像を記録する映像データベース（４１）に映像を利用者情報に対応付けて記録するステップ（Ｓ１４）と、写真プリンタ（６）が利用者情報を用いて映像を要求するときに、映像データベース（４１）を参照して要求利用者情報に対応する要求映像を写真プリンタ（６）に配信するステップ（Ｓ３４）を更に備えている。写真プリンタ（６）は、要求映像をプリントアウトする。本発明による映像撮影方法によれば、ユーザは、その写真プリンタ（６）を用いて、携帯情報端末（３）を操作して撮影された映像が記載された写真を容易に入手することができる。
【００２３】
本発明による映像撮影方法は、携帯情報端末（３）が無線通信回線（８）を介して端末識別情報をカメラ（５）に送信してカメラ（５）に動画像を要求するときに、複数端末識別情報を記憶する認証データベース（２１）を参照して端末識別情報を複数端末識別情報から検索した検索結果を無線基地局に送信するステップ（Ｓ２〜Ｓ４）を更に備えている。無線通信回線（８）は、利用者情報が複数利用者情報に属さないときに、動画像を携帯情報端末（３）に配信しない。本発明による映像撮影方法によれば、認証された携帯情報端末（３）のみが動画像を表示することでき、好ましい。
【００２４】
本発明による映像撮影方法は、複数時刻と複数カメラ（５）とを対応付ける監視データベース（２２）を参照して、複数時刻のうちの１つの撮影時刻になったときに、複数カメラ（５）のうちの撮影時刻に対応する撮影カメラ（５）から撮影映像を収集するステップ（Ｓ２１〜Ｓ２２）を更に備えている。映像データベース（４１）は、更に、撮影時刻と撮影カメラ（５）との組に対応付けて撮影映像を記録する。本発明による映像撮影方法は、携帯情報端末（３）が操作されないときにでも、ユーザが撮影することができないようなさまざまな映像を容易に撮影する。
【００２５】
本発明による映像撮影方法は、ユーザ端末（７）から検索条件を収集するステップ（Ｓ４２）と、映像データベース（４１）を参照して、検索条件を満たす組に対応する映像をユーザ端末（７）に配信するステップ（Ｓ４３〜Ｓ４４）とを備えている。本発明による映像撮影方法によれば、ユーザは、携帯情報端末（３）を操作しないときに撮影されたさまざまな映像を容易に入手することができる。
【００２６】
本発明による映像撮影方法は、高速無線通信回線（８）は、動画像を携帯情報端末（３）に表示することに十分な通信速度で動画像をカメラ（５）から携帯情報端末（３）に伝送することが好ましい。高速無線通信回線（８）は、高速無線ＬＡＮシステムであることが好ましい。高速無線ＬＡＮシステムとしては、ＩＥＥＥ８０２．１１ａ、ＩＥＥＥ８０２．１１ｂまたはＩＥＥＥ８０２．１１ｇに準拠する高速無線アクセスを用いるシステムが例示される。
【００２７】
本発明による映像撮影プログラムは、コンピュータである映像撮影装置（１）により実行されるコンピュータプログラムであり、そのコンピュータプログラムの部分として、カメラ（５）から高速無線通信回線（８）を介して公開される動画像を表示する携帯情報端末（３）から高速無線通信回線（８）を介して撮影信号を収集するステップと、撮影信号に応答して映像をカメラ（５）から収集するステップと、公衆回線網（１４）に接続されるユーザ端末（７）に映像を公開するステップとを備えている。本発明による映像撮影プログラムによれば、ユーザは、携帯情報端末（３）に表示される動画像を見ながら、携帯情報端末（３）を操作して好きなシャッターチャンスでそのカメラ（５）から見た映像を撮影することができ、自分一人で撮影することができないようなさまざまな映像を容易に撮影することができる。
【００２８】
本発明による映像撮影プログラムは、携帯情報端末（３）を識別する利用者情報を撮影信号とともに収集したときに、複数利用者情報に対応付けて複数映像を記録する映像データベース（４１）に利用者情報に対応付けて映像を記録するステップと、ユーザ端末（７）が要求利用者情報を用いて映像を要求するときに、映像データベース（４１）を参照して要求利用者情報に対応する要求映像をユーザ端末（７）に配信するステップとを更に備えている。本発明による映像撮影プログラムによれば、ユーザは、そのユーザ端末（７）を用いて、携帯情報端末（３）を操作して撮影された映像を容易に検索して入手することができる。
【００２９】
本発明による映像撮影プログラムは、携帯情報端末（３）を識別する利用者情報を撮影信号とともに収集したときに、複数利用者情報に対応付けて複数映像を記録する映像データベース（４１）に映像を利用者情報に対応付けて記録するステップと、写真プリンタ（６）が利用者情報を用いて映像を要求するときに、映像データベース（４１）を参照して要求利用者情報に対応する要求映像を写真プリンタ（６）に配信するステップを更に備えている。写真プリンタ（６）は、要求映像をプリントアウトする。本発明による映像撮影プログラムによれば、ユーザは、その写真プリンタ（６）を用いて、携帯情報端末（３）を操作して撮影された映像が記載された写真を容易に入手することができる。
【００３０】
本発明による映像撮影プログラムは、携帯情報端末（３）が無線通信回線（８）を介して端末識別情報をカメラ（５）に送信してカメラ（５）に動画像を要求するときに、複数端末識別情報を記憶する認証データベース（２１）を参照して端末識別情報を複数端末識別情報から検索した検索結果を無線基地局に送信するステップを更に備えている。無線通信回線（８）は、利用者情報が複数利用者情報に属さないときに、動画像を携帯情報端末（３）に配信しない。本発明による映像撮影プログラムによれば、認証された携帯情報端末（３）のみが動画像を表示することでき、好ましい。
【００３１】
本発明による映像撮影プログラムは、複数時刻と複数カメラ（５）とを対応付ける監視データベース（２２）を参照して、複数時刻のうちの１つの撮影時刻になったときに、複数カメラ（５）のうちの撮影時刻に対応する撮影カメラ（５）から撮影映像を収集するステップを更に備えている。映像データベース（４１）は、更に、撮影時刻と撮影カメラ（５）との組に対応付けて撮影映像を記録する。本発明による映像撮影プログラムは、携帯情報端末（３）が操作されないときにでも、ユーザが撮影することができないようなさまざまな映像を容易に撮影する。
【００３２】
本発明による映像撮影プログラムは、ユーザ端末（７）から検索条件を収集するステップと、映像データベース（４１）を参照して、検索条件を満たす組に対応する映像をユーザ端末（７）に配信するステップとを備えている。本発明による映像撮影プログラムによれば、ユーザは、携帯情報端末（３）を操作しないときに撮影されたさまざまな映像を容易に入手することができる。
【００３３】
本発明による映像撮影プログラムは、高速無線通信回線（８）は、動画像を携帯情報端末（３）に表示することに十分な通信速度で動画像をカメラ（５）から携帯情報端末（３）に伝送することが好ましい。高速無線通信回線（８）は、高速無線ＬＡＮシステムであることが好ましい。高速無線ＬＡＮシステムとしては、ＩＥＥＥ８０２．１１ａ、ＩＥＥＥ８０２．１１ｂまたはＩＥＥＥ８０２．１１ｇに準拠する高速無線アクセスを用いるシステムが例示される。
【発明の効果】
【００３４】
本発明による映像撮影装置及び映像撮影方法によれば、ユーザは、さまざまな映像を容易に撮影することができる。
【発明を実施するための最良の形態】
【００３５】
図面を参照して、本発明による映像撮影装置の実施の形態を記載する。その映像撮影装置１は、図１に示されているように、映像撮影システム２に適用されている。映像撮影システム２は、複数の通信回線網を介して複数の情報処理装置（コンピュータ）が互いに双方向に情報を伝送することができるように接続されている。その複数の情報処理装置は、映像撮影装置１と携帯情報端末３とデジタルビデオカメラ５と写真プリンタ６とユーザ端末７とから形成されている。
【００３６】
映像撮影装置１と携帯情報端末３とデジタルビデオカメラ５とは、高速無線ＬＡＮシステム８を介して互いに双方向に情報を伝送することができるように接続されている。高速無線ＬＡＮシステム８は、複数の無線基地局１１を備えている。無線基地局１１は、携帯情報端末３から電波を介して伝送された情報を映像撮影装置１またはデジタルビデオカメラ５に伝送し、映像撮影装置１またはデジタルビデオカメラ５から伝送された情報を携帯情報端末３に電波を介して伝送する。高速無線ＬＡＮシステム８の無線通信規格としては、ＩＥＥＥ８０２．１１ａが例示される。この規格は、最高通信速度５４Ｍｂｐｓであり、実行スループットが２０Ｍｂｐｓ程度の能力があり、無線通信でハイビジョンと同程度の画像を３本同時に送ることができる。さらに、この規格は、５ＧＨｚ帯の周波数を使用しており、比較的クリーンな帯域であるため、映像情報が妨害されにくい。この無線通信規格は、ＩＥＥＥ８０２．１１ｂまたはＩＥＥＥ８０２．１１ｇに置換することもできる。この規格は、一般にＩＳＭバンドとして開放されている２．４ＧＨｚ帯の周波数を使っているので、電子レンジ、ＰＯＳ端末等の他の機器からの干渉が多く、映像情報が妨害されやすい。
【００３７】
写真プリンタ６は、専用回線１２を介して、映像撮影装置１に双方向に情報を伝送することができるように接続されている。ユーザ端末７と携帯情報端末３とは、インターネット１４を介して、映像撮影装置１に双方向に情報を伝送することができるように接続されている。映像撮影装置１とインターネット１４との間には、ゲートウェイ１５が介設されている。
【００３８】
携帯情報端末３は、携帯電話機、ＰＤＡに例示される情報処理装置であり、図示されていないボタンと表示装置とを有している。携帯情報端末３は、映像撮影システム２に複数が設けられ、高速無線ＬＡＮシステム８を介して映像撮影装置１またはデジタルビデオカメラ５により公開される情報を記録して閲覧することができる。デジタルビデオカメラ５は、映像を撮像する装置であり、映像撮影システム２に複数が設けられている。デジタルビデオカメラ５は、その映像を映像撮影装置１と携帯情報端末３に無線ＬＡＮシステム８を介して公開している。
【００３９】
写真プリンタ６は、取得した静止画を紙にプリントアウトする装置であり、図示されていない入力装置を備えている。写真プリンタ６は、その入力装置に入力された情報を専用回線１２を介して映像撮影装置１に伝達する機能と、映像撮影装置１から取得した映像を紙にプリントアウトする機能とを有している。ユーザ端末７は、パーソナルコンピュータに例示される情報処理装置である。ユーザ端末７は、ユーザにより入力された情報を映像撮影装置１にインターネット１４を介して伝達する機能と、インターネット１４を介して映像撮影装置１が公開している情報を取得する機能とを有している。
【００４０】
映像撮影システム２は、遊園地が例示されるテーマパークに適用されている。すなわち、携帯情報端末３は、そのテーマパークを利用する利用者に携帯されている。携帯情報端末３は、利用者の所有物であり、または、そのテーマパークから利用者にレンタルされるものである。そのテーマパークのライドアトラクションの乗物は、レンタルされた携帯情報端末３を座席の前に固定するホルダを備えている。写真プリンタ６は、アトラクションの出口付近に設置され、テーマパークの出口付近に設置されている。
【００４１】
デジタルビデオカメラ５は、そのテーマパークに分散されて配置されている。デジタルビデオカメラ５が設置される場所としては、アトラクションの入り口、そのテーマパーク内のレストラン内、パレードやショウを撮影することができる位置、ライドアトラクションの乗物の進路が例示される。その進路としては、その乗物が絶叫イベントに差し掛かる位置が好ましい。その絶叫イベントとしては、フォール（落下）やローリング（揺れ）、爆発が例示される。デジタルビデオカメラ５は、さらに、パレードやショウの出演者に携帯させ、その観客を撮影することもできる。
【００４２】
映像撮影装置１は、管理サーバ１６と記憶装置１７とから形成されている。管理サーバ１６と記憶装置１７とは、それぞれ、ワークステーションに例示される情報処理装置である。管理サーバ１６は、図２に示されているように、コンピュータプログラムである認証データベース２１と監視データベース２２と認証部２３と撮影信号収集部２４と映像収集部２５と検索条件収集部２６と映像配信部２７とをインストールしている。
【００４３】
認証データベース２１は、デジタルビデオカメラ５が撮影している動画像を携帯情報端末３に公開するかしないかを判別するための情報を記録している。監視データベース２２は、映像を撮影すべき場面を記録している。
【００４４】
認証部２３は、デジタルビデオカメラ５が公開している動画像の閲覧を要求している携帯情報端末３を識別する利用者情報を無線基地局１１から収集する。認証部２３は、さらに、認証データベース２１を参照して、その利用者情報に基づいて携帯情報端末３にその動画像を公開するかしないかを判別した結果を無線基地局１１に返信する。
【００４５】
撮影信号収集部２４は、高速無線ＬＡＮシステム８を介して携帯情報端末３から撮影信号を収集する。その撮影信号は、ユーザがボタンを押すことに応答して携帯情報端末３から出力され、携帯情報端末３を識別する利用者情報とデジタルビデオカメラ５を識別する情報を有している。
【００４６】
映像収集部２５は、撮影信号収集部２４により収集された撮影信号に応答して、その撮影信号により示されるデジタルビデオカメラ５が公開している映像を収集して、その映像を記憶装置１７に記録する。映像収集部２５は、さらに、監視データベース２２を参照して、撮影すべき場面になったら、所定のデジタルビデオカメラ５が公開している映像を収集して、その映像を撮影された場面に対応付けて記憶装置１７に記録する。
【００４７】
検索条件収集部２６は、インターネット１４を介して、携帯情報端末３、写真プリンタ６またはユーザ端末７から検索条件を収集する。その検索条件は、記憶装置１７に記録されている映像から所望の映像を検索するための条件であり、利用者情報を示し、または、映像が撮影された場面を示している。映像配信部２７は、検索条件収集部２６により収集された検索条件を満たす場面に対応する映像を携帯情報端末３、写真プリンタ６またはユーザ端末７にインターネット１４を介して配信する。
【００４８】
図３は、認証データベース２１を示している。認証データベース２１は、利用者情報３１とクレジットカード番号３２と対応付けて記録している。利用者情報３１は、携帯情報端末３を互いに識別する情報を示している。クレジットカード番号３２は、利用者情報３１により識別される携帯情報端末３が動画像を閲覧するときの利用料を支払うクレジットカードの番号を示している。このとき、認証部２３は、認証データベース２１を参照して、無線基地局１１から収集される利用者情報が認証データベース２１に記録されているかいないかを判別した結果を無線基地局１１に返信する。
【００４９】
図４は、監視データベース２２を示している。監視データベース２２は、時刻３３をカメラ３４に対応付けて記録している。時刻３３は、映像を記録すべき場面の時刻を示している。カメラ３４は、その場面を撮影しているデジタルビデオカメラ５を示している。その場面としては、ライドアトラクションの乗物が絶叫イベントに差し掛かる場面が例示される。
【００５０】
図５は、記憶装置１７に記録されている映像データベースを示している。その映像データベース４１は、映像識別情報に対応付けて映像４２を記録している。その映像識別情報は、利用者情報４３とカメラ４４と時刻４５とから形成されている。映像４２は、動画像または静止画を示している。利用者情報４３は、映像４２が撮影されるきっかけとなった撮影信号が示す利用者情報を示している。利用者情報４３は、映像４２が監視データベース２２に基づいて撮影されたものであるときに、空欄である。カメラ４４は、映像４２が撮影されたデジタルビデオカメラ５を示している。時刻４５は、映像４２が撮影された時刻を示している。
【００５１】
本発明による映像撮影装置方法の実施の形態は、映像撮影システム２により実行され、デジタルビデオカメラ５により撮像された映像を携帯情報端末３に公開する動作と、利用者が気に入った映像を記録する動作と、所定の映像を記録する動作と、デジタルビデオカメラ５により撮像された映像をプリントアウトする動作と、デジタルビデオカメラ５により撮像された映像をユーザ端末７に公開する動作とを備えている。
【００５２】
図６は、デジタルビデオカメラ５により撮像された映像を携帯情報端末３に公開する動作を示している。利用者は、携帯情報端末３を携帯してテーマパークに入場するときに、または、携帯情報端末３をレンタルするときに、クレジットカードの番号を掲示して携帯情報端末３を用いてデジタルビデオカメラ５により撮像される動画像の閲覧を申し込む。映像撮影システム２の管理者は、携帯情報端末３が出力する利用者情報とそのクレジットカードの番号とを対応付けて、認証データベース２１に記録する。利用者は、見たい動画像を撮像しているデジタルビデオカメラ５を選択して携帯情報端末３に入力する。携帯情報端末３は、電波を介してそのデジタルビデオカメラ５と携帯情報端末３を識別する利用者情報とを無線基地局１１に通知して、その動画像を要求する（ステップＳ１）。無線基地局１１は、その電波に応答して、通知された利用者情報を映像撮影装置１に送信して、その動画像を携帯情報端末３に転送してもよいか問い合わせる（ステップＳ２）。映像撮影装置１は、認証データベース２１を参照して、その利用者情報が記録されているかどうかを検索して（ステップＳ３）、その検索結果を無線基地局１１に返信する（ステップＳ４）。
【００５３】
無線基地局１１は、その利用者情報が認証データベース２１に登録されているときに（ステップＳ５；ＹＥＳ）、通知されたデジタルビデオカメラ５が撮像している動画像を取得して（ステップＳ６）、その動画像を携帯情報端末３に電波を介して送信する（ステップＳ７）。携帯情報端末３は、伝送された動画像を表示する（ステップＳ８）利用者は、携帯情報端末３を用いてその動画像を閲覧することができる。
【００５４】
無線基地局１１は、その利用者情報が認証データベース２１に登録されていないときに（ステップＳ５；ＮＯ）、通知されたデジタルビデオカメラ５が撮像している動画像を携帯情報端末３に送信しない。このため、利用者は、携帯情報端末３を用いてその動画像を閲覧することができない。
【００５５】
このような動作によれば、利用者は、死角を確認することができる。たとえば、テーマパークの利用者は、各アトラクションの入場位置やレストラン内に設置してあるデジタルビデオカメラ５の映像を閲覧することにより、アトラクションやレストランの込み具合を主観的に判断することができる。ライドアトラクションの乗物に乗り込んだ利用者は、アトラクション内のイベントや景色を楽しむとともに、携帯情報端末３に映し出されるデジタルビデオカメラからの映像を楽しむことができる。劇場型アトラクションの利用者は、携帯情報端末３を用いてデジタビデオカメラ５の映像を見ることにより、さまざまな方向からそのアトラクションを閲覧して楽しむことができる。パレードや屋外でのショウでは、たくさんの客が見物するため、後方では、見にくい場合がある。パレードなどの利用者は、パレードやショウを撮影することのできる位置にデジタルビデオカメラ５が設置されているときに、携帯情報端末３を用いて見物客の後方でも手元の携帯情報端末を通してリアルタイムでパレードやショウを楽しむことができる。パレードやショウの出演者に小型のデジタルビデオカメラ６を持たせているときに、観客は、携帯情報端末３を用いて出演者側から観客を見た映像を閲覧することができる。
【００５６】
なお、デジタルビデオカメラ６は、撮影した映像をインターネット１４を介して公開することもできる。このとき、利用者は、自宅にあるユーザ端末６を用いてテーマパークの状況を閲覧し、テーマパークの込み具合を主観的に確認し、テーマパークへ行くか行かないかの判断をすることができる。
【００５７】
さらに、このような動作によれば、登録された携帯情報端末３が動画像を表示することでき、登録されていない携帯情報端末３が動画像を表示することできないで、好ましい。
【００５８】
図７は、利用者が気に入った映像を記録する動作を示している。利用者は、図６の動作により動画像を見ながら、シャッターを切るのに最もよいと思われる瞬間に、携帯情報端末３の所定のボタンを押す。携帯情報端末３は、そのボタンが押されたときに（ステップＳ１１；ＹＥＳ）、高速無線ＬＡＮシステム８を介して撮影信号を映像撮影装置１に送信する（ステップＳ１２）。その撮影信号は、携帯情報端末３を識別する利用者情報とデジタルビデオカメラ５とを示している。映像撮影装置１は、その撮影信号に応答して、その撮影信号が示すデジタルビデオカメラ５が撮像している静止画を取得する（ステップＳ１３）。映像撮影装置１は、その静止画を、その撮影信号が示す利用者情報とデジタルビデオカメラ５と撮影した時刻とに対応付けて記憶装置１７の映像データベース４１に記録する（ステップＳ１４）。さらに、携帯情報端末３は、そのボタンが押されたときに（ステップＳ１１；ＹＥＳ）、動画像のうちのそのボタンが押された瞬間に表示された静止画を記録する（ステップＳ１５）。このとき、携帯情報端末３に記録される映像は、記憶装置１７に記憶される映像より、粗く、情報量が小さい。
【００５９】
なお、映像撮影装置１は、動画像を記録することもできる。このとき、映像撮影装置１は、携帯情報端末３から送信される撮影信号に応答して、その撮影信号が示すデジタルビデオカメラ５が撮像している動画像を取得する。映像撮影装置１は、その動画像を、その撮影信号が示す利用者情報とデジタルビデオカメラ５と撮影した時刻とに対応付けて記憶装置１７の映像データベース４１に記録する。
【００６０】
このような動作によれば、利用者は、静止画を撮影するシャッターチャンスを自由に決めることができる。さらに、このような動作によれば、利用者は、動画像を閲覧しながらシャッターチャンスを自由に決めるときに、どのような静止画が撮影されるか推測でき、好ましい。たとえば、利用者は、乗物の進路に沿って設置された、または、乗物内前方にデジタルビデオカメラ５が設置されているときに、利用者と乗物とが映った映像を容易に一人で撮影することができる。
【００６１】
なお、図７の動作は、携帯情報端末３が映像撮影装置１により高速無線ＬＡＮシステム８を介して公開している動画像を閲覧しているときにも実行することができる。このとき、利用者は、その動画像を見ながら、シャッターを切るのに最もよいと思われる瞬間に、携帯情報端末３の所定のボタンを押す。携帯情報端末３は、そのボタンが押されたときに、高速無線ＬＡＮシステム８を介して撮影信号を映像撮影装置１に送信する。映像撮影装置１は、その動画像のうちのその撮影信号を受信した瞬間の映像を静止画として、その撮影信号が示す利用者情報とデジタルビデオカメラ５と撮影した時刻とに対応付けて記憶装置１７の映像データベース４１に記録する。さらに、携帯情報端末３は、そのボタンが押されたときに、動画像のうちのそのボタンが押された瞬間に表示された静止画を記録する。
【００６２】
図８は、所定の映像を記録する動作を示している。映像撮影装置１は、常時に、監視データベース２２に記録されている時刻になったかどうかを監視している（ステップＳ２１）。映像撮影装置１は、監視データベース２２に記録されている時刻になったときに（ステップＳ２１；ＹＥＳ）、その時刻に対応するデジタルビデオカメラ５が撮像している映像を取得する（ステップＳ２２）。映像撮影装置１は、その映像を、デジタルビデオカメラ５と撮影した時刻とに対応付けて記憶装置１７の映像データベース４１に記録する（ステップＳ２３）。
【００６３】
このような動作によれば、利用者は、図７の動作で携帯情報端末３のボタンを押して撮影することができなかった映像を取得することができる。乗り物の利用者は、乗り物がフォール（落下）やローリング（揺れ）、爆発のような絶叫イベントに差し掛かるときに、携帯情報端末３の画像を楽しむ余裕が無くなり、または、目をつぶってしまうことがある。たとえば、その絶叫イベントに差し掛かる場面が監視データベース２２に記録されているときに、利用者は、その場面で携帯情報端末３のボタンを押さなくても、その場面の映像が映像撮影装置１に記録され、後でそのシーンを動画像で楽しむことができる。劇場型アトラクションの観覧者は、水をかぶったり、突然の爆発に驚いたりする場面がある。このとき、利用者は、突然の出来事なので、携帯情報端末３のボタンを押してその場面を撮影することができない。たとえば、このような場面が監視データベース２２に記録されているときに、利用者は、その場面で携帯情報端末３のボタンを押さなくても、その場面の映像が映像撮影装置１に記録され、ハプニングを撮影することができる。
【００６４】
図９は、デジタルビデオカメラ５により撮像された映像をプリントアウトする動作を示している。利用者は、写真プリンタ６に映像識別情報を入力して、デジタルビデオカメラ５により撮像された映像をプリントアウトすることを要求する（ステップＳ３１）。その映像識別情報は、利用者情報とデジタルビデオカメラ５と撮影時刻とを示している。写真プリンタ６は、その映像識別情報を映像撮影装置１に送信する（ステップＳ３２）。映像撮影装置１は、映像データベース４１を参照して、その映像識別情報に対応する静止画を検索し（ステップＳ３３）、その静止画を写真プリンタ６に返信する（ステップＳ３４）。写真プリンタ６は、その静止画をプリントアウトする（ステップＳ３５）。
【００６５】
このような動作によれば、利用者は、アトラクションを出た後に、写真プリンタ６を用いてそのアトラクションで撮影された写真を入手することができる。利用者は、このような印刷作業が面倒な場合に、または、多数あるような場合に、有人の売店の係員に印刷したい場面を申告し、プリントしておいてもらう。利用者は、そのプリントアウトが有料の場合に、その売店にその料金を支払う。
【００６６】
図１０は、デジタルビデオカメラ５により撮像された映像をユーザ端末７に公開する動作を示している。利用者は、ユーザ端末７に映像識別情報を入力して、デジタルビデオカメラ５により撮像された映像をダウンロードすることを要求する（ステップＳ４１）。その映像識別情報は、利用者情報とデジタルビデオカメラ５と撮影時刻とを示している。ユーザ端末７は、その映像識別情報を映像撮影装置１に送信する（ステップＳ４２）。映像撮影装置１は、映像データベース４１を参照して、その映像識別情報に対応する映像を検索し（ステップＳ４３）、その映像をユーザ端末７に返信する（ステップＳ４４）。ユーザ端末７は、その映像を記録して、表示する（ステップＳ３５）。
【００６７】
このような動作によれば、利用者は、携帯情報端末３に保存し損ねたシーンや、テーマパーク内でプリントしなかったシーンを後ほど利用することができる。テーマパークに携帯情報端末３を持っていなくても、後ほどインターネットを通して検索することにより、撮影映像を楽しむことができる。
【００６８】
映像撮影システム２の管理者は、認証データベース２１を参照して、利用者情報を用いて映像撮影装置１を使用した使用料金をその利用者情報に対応するクレジットカード番号を用いて精算する。このとき、利用者には、後でクレジットカード会社からその使用料金が請求される。
【００６９】
高速無線ＬＡＮシステム８は、テレビ電話機能付の携帯電話で利用されている公衆回線網に置換することができる。このとき、利用者は、携帯情報端末３を用いて、その公衆回線網を介してデジタルビデオカメラ５に対して電話をかけることにより、撮影されている動画像・静止画を呼び出すことができる。このとき、その動画像や静止画は、取り込み量が携帯情報端末３のメモリ量に限られ、精細度も落ちる。また、デジタルビデオカメラ５と携帯情報端末３とは、一対一の対応になるが、インフラは既存のものを利用でき、映像撮影システム２は、手軽に構築することができる。
【００７０】
なお、携帯情報端末３は、映像を映す機能のみでなく、他の機能を持たせることが好ましい。その機能としては、アトラクションに優先的に入れるファストライド、エクスプレスなどの予約機能やそれらの利用時間を知らせる機能、レストランなどの予約機能と予約時間になると知らせる機能、アトラクションやレストランの案内情報などが例示される。携帯情報端末３は、さらに、インターネット１４を介して映像撮影システム２以外の情報処理装置に接続されているので、ホテルの予約や乗車券、特急券の予約機能もテーマパーク内にいながら可能となる。
【００７１】
テーマパークは、このように映像を多様にする映像撮影システム２を適用することにより、付加価値を付けることができるので、新たな収益の向上を図ることができる。
【００７２】
本発明による映像撮影装置の実施の他の形態は、映像撮影システム２がゴルフ場に適用されている。このとき、デジタルビデオカメラ５は、ゴルフ場の各ホールで第一打を打つティインググランドやパットを行うパッティンググリーンに設置される。ゴルフのプレーヤーは、携帯情報端末３を携帯してこのゴルフ場のゴルフをプレーする。プレーヤーは、ティショットまたはパッティングするときに、携帯情報端末３のボタンを押して、映像撮影装置１に撮影信号を送信する。映像撮影装置１は、その撮影信号に応答して、デジタルビデオカメラ５が撮影したティショットフォームやパッティングフォームを記録する。プレーヤーは、携帯情報端末３を用いて、その記録されたティショットフォームやパッティングフォームを映像撮影装置１からダウンロードして閲覧することができる。このとき、ゴルフプレーヤーは、自身のスイングフォームを確認することができる。
【００７３】
後の組のプレーヤーが打ったボールが、前方でプレーをしている前の組のプレーヤーに当たる危険がある場合がある。このため、前の組のプレーヤーは、一般的に、打ってよい場合に、後ろの組に対して打ってよいとの合図を送る。後の組のプレーヤーは、林や丘陵に隠されて、前の組が前方でプレーしているかどうかが見えない場合がある。映像撮影システム２によれば、後ろの組のプレーヤーは、前方に設置されたデジタルビデオカメラ５で撮影した映像を携帯情報端末３を用いて閲覧することにより、前の組がボールを打つ方向にいるかいないかを確認することができる。
【００７４】
本発明による映像撮影装置の実施のさらに他の形態は、映像撮影システム２がサファリパークに適用されている。そのサファリパークでは、猛獣を含む動物が放し飼いにされており、利用者は、各自の乗用車で、または、パークが用意する乗用車あるいはバスに乗り込んで、コースを巡りその動物の様子を間近で見ることができる。このようなサファリパークでは、もちろん利用者は車の外に出ての写真撮影はできない。その自動車には、インターネット１４に接続されている情報処理装置が設置されている。その情報処理装置としては、ナビゲーションシステムが例示される。デジタルビデオカメラ５は、その巡回コースを撮影することができる位置に設置される。このとき、利用者は、携帯情報端末３または自動車に搭載される情報処理装置を用いて、デジタルビデオカメラ５により撮影される映像を閲覧することができる。
【００７５】
本発明による映像撮影装置の実施のさらに他の形態は、映像撮影システム２がイベントトレインに適用されている。そのイベントトレインとしては、蒸気機関車やトロッコ電車等が例示される。このとき、デジタルビデオカメラ５と無線基地局１１とは、そのイベントトレインが走行する線路沿いに設置されている。そのイベントトレインは、インターネット１４に接続されているモニタを車内に備えている。利用者は、そのモニタまたは携帯情報端末３を用いて、イベントトレインと自身とを撮影された映像を閲覧することができる。
【図面の簡単な説明】
【００７６】
【図１】図１は、映像撮影システム２を示すブロック図である。
【図２】図２は、管理サーバを示すブロック図である。
【図３】図３は、認証データベースを示す図である。
【図４】図４は、監視データベースを示す図である。
【図５】図５は、映像データベースを示す図である。
【図６】図６は、デジタルビデオカメラにより撮像された映像を携帯情報端末に公開する動作を示すフローチャートである。
【図７】図７は、利用者が気に入った映像を記録する動作を示すフローチャートである。
【図８】図８は、所定の映像を記録する動作を示すフローチャートである。
【図９】図９は、デジタルビデオカメラにより撮像された映像をプリントアウトする動作を示すフローチャートである。
【図１０】図１０は、デジタルビデオカメラにより撮像された映像をユーザ端末に公開する動作を示すフローチャートである。
【符号の説明】
【００７７】
１  ：映像撮影装置
２  ：映像撮影システム２
３  ：携帯情報端末
５  ：デジタルビデオカメラ
６  ：写真プリンタ
７  ：ユーザ端末
８  ：高速無線ＬＡＮシステム
１１：無線基地局
１２：専用回線
１４：インターネット
１５：ゲートウェイ
１６：管理サーバ
１７：記憶装置
２１：認証データベース
２２：監視データベース
２３：認証部
２４：撮影信号収集部
２５：映像収集部
２６：検索条件収集部
２７：映像配信部
３１：利用者情報
３２：クレジットカード番号
３３：時刻
３４：カメラ
４１：映像データベース
４２：映像
４３：利用者情報
４４：カメラ
４５：時刻
【図１】
2007067456.tif 000003
【図２】
2007067456.tif 000004
【図３】
2007067456.tif 000005
【図４】
2007067456.tif 000006
【図５】
2007067456.tif 000007
【図６】
2007067456.tif 000008
【図７】
2007067456.tif 000009
【図８】
2007067456.tif 000010
【図９】
2007067456.tif 000011
【図１０】
2007067456.tif 000012